(57)【要約】【課題】撮像装置において、対面撮影状態で、被写体が上下逆になった映像のイメージデータが記録されてしまうことを防止する。【解決手段】本体部ケーシング４の向きＺを、カメラ部ケーシング３のレンズ部１０のカメラレンズ１１によって規定される撮影方向Ｘ、及びモニタ表示部３０のモニタ画面の向きＹに対して独立に回動調整することができるビデオカメラ１にあって、本体部ケーシング４に対するカメラ部ケーシング３の回動変位を第１の回転検出部５３によって検出し、モニタ表示部３０の画面方向Ｚを第２の回転検出部５４によって検出することによって、対面撮影状態を判別し、モニタ表示部３０の表示駆動における垂直走査方向Ｖｄｉｓ、又はレンズ部により撮影される映像の垂直走査方向Ｖｃｃｄが認識できる垂直走査方向キャラクタＣＲＶをモニタ画面上に表示する。【選択図】  図１
2004214925.tif 000002
【特許請求の範囲】
【請求項１】
記録再生部が設けられた第１の筐体と、
レンズ部及びモニタ表示部が設けられた第２の筐体と、
該第１の筐体及び第２の筐体を相対回動可能に一体的に連結する連結部と、
前記第１の筐体に対する前記第２の筐体の回動変位を検出する第１の回転検出部と、
前記第２の筐体に設けられたモニタ表示部の画面方向を検出する第２の回転検出部と、
前記第１の回転検出部及び第２の回転検出部の検出出力に基づき、対面撮影状態を判別する判別手段と、
該判別手段による対面撮影状態の判別結果に基づき、前記レンズ部により撮影される映像が上下反転して前記記録再生部によって記録されることを報知する報知手段と
を備えていることを特徴とする撮像装置。
【請求項２】
記録再生部が設けられた第１の筐体と、
レンズ部及びモニタ表示部が設けられた第２の筐体と、
該第１の筐体及び第２の筐体を相対回動可能に一体的に連結する連結部と、
前記第１の筐体に対する前記第２の筐体の回動変位を検出する第１の回転検出部と、
前記第２の筐体に設けられたモニタ表示部の画面方向を検出する第２の回転検出部と、
前記第１の回転検出部及び第２の回転検出部の検出出力に基づき、対面撮影状態を判別する判別手段と、
前記レンズ部に設けられ、該判別手段による対面撮影状態の判別結果に応じて、撮影される被写体の映像の垂直読み出し方向を上下反転させる固体撮像素子とを備えていることを特徴とする撮像装置。
【請求項３】
記録再生部が設けられた第１の筐体と、
レンズ部及びモニタ表示部が設けられた第２の筐体と、
該第１の筐体及び第２の筐体を相対回動可能に一体的に連結する連結部と、
前記第１の筐体に対する前記第２の筐体の回動変位を検出する第１の回転検出部と、
前記第２の筐体に設けられたモニタ表示部の画面方向を検出する第２の回転検出部と、
前記第１の回転検出部及び第２の回転検出部の検出出力に基づき、対面撮影状態を判別する判別手段と、
通常撮影状態から対面撮影状態に移行した場合は、該判別手段による対面撮影状態の判別結果に基づき、前記レンズ部により撮影される映像の前記記録再生部による記録を中断させる記録中断手段と
を備えていることを特徴とする撮像装置。
【請求項４】
記録再生部が設けられた第１の筐体と、
レンズ部及びモニタ表示部が設けられた第２の筐体と、
該第１の筐体及び第２の筐体を相対回動可能に一体的に連結する連結部と、
前記第１の筐体に対する前記第２の筐体の回動変位を検出する第１の回転検出部と、
前記第２の筐体に設けられたモニタ表示部の画面方向を検出する第２の回転検出部と、
前記第１の回転検出部及び第２の回転検出部の検出出力に基づき、前記第１の筐体及び第２の筐体が予め定められた姿勢状態になっているのを検出し、対面撮影モードを設定する対面撮影設定手段と、
該対面撮影設定手段による対面撮影モードの設定を受けて、前記レンズ部により撮影される被写体の鏡像を前記記録再生部に記録制御する対面撮影制御手段とを備えていることを特徴とする撮像装置。
【請求項５】
前記第１の回転検出部は、重力センサであることを特徴とする請求項１から４いずれかに記載の撮像装置。
【請求項６】
前記モニタ表示部は、前記第２の筐体に対して相対回動可能に設けられていることを特徴とする請求項１から５いずれかに記載の撮像装置。
【請求項７】
前記第２の回転検出部は、前記第２の筐体に対する前記モニタ表示部の相対回動変位を検出することを特徴とする請求項６記載の撮像装置。
【発明の詳細な説明】
【０００１】
【発明の属する技術分野】
本発明は、対面撮影可能なビデオカメラ等の撮像装置に関する。
【０００２】
【従来の技術】
従来、レンズ部が設けられたカメラ部と、モニタ表示器を備えた記録再生部とが連結部を介して回動可能に連結され、両者の向きが相対変位可能な撮像装置がある。この種の撮像装置では、レンズ部のカメラレンズの向く方向に対してモニタ表示器のモニタ画面の向く方向が同じ方向となる対面撮影時に、カメラレンズで写した被写体の画像（虚像）を、実際に正対して被写体を眺めた画像（正像）の鏡像に変換して、モニタ表示器で見られるようにしたビデオカメラがある。このようなビデオカメラとしては、例えば特開平７−１５４６９２号公報に記載されているモニタ画面一体型デオカメラがある。
【０００３】
図９は、従来の対面撮影可能な撮像装置の例としての、モニタ画面一体型ビデオカメラの構成図である。
図９に示すように、このモニタ画面一体型ビデオカメラ１０１は、カメラレンズ１１１と撮像回路１１２とを収容したカメラ部１０３と、図示せぬＶＴＲ部（Ｖｉｄｅｏ  Ｔａｐｅ  Ｒｅｃｏｒｄｅｒ、後述の記録再生部に対応）を収容するとともに、ＬＣＤ（Ｌｉｑｕｉｄ  Ｃｒｙｓｔａｌ  Ｄｉｓｐｌａｙ）等から構成されるモニタ表示器１３０、操作スイッチ１４０が備えられた本体部１０４とが、連結部１０５を介して、相互に回動可能に連結された構成になっている。
【０００４】
このモニタ画面一体型ビデオカメラ１０１においては、カメラレンズ１１１の向く方向（以下、撮影方向という）Ｘに対しモニタ表示器１３０のモニタ画面１３１の向く方向（以下、画面方向という）Ｙが反対方向になる通常撮影が行えるとともに、撮影方向Ｘに対し画面方向Ｙが同じ方向になる対面撮影も行える。
【０００５】
このビデオカメラ１０１における対面撮影の仕方は、図９に示したカメラ部１０３及びモニタ表示器１３０が共に正立している通常撮影状態から、カメラ部１０３を正立させたまま、モニタ表示器１３０が備えられた本体部１０４のみを連結部１０５を中心として上下に１８０°回転させ、正立状態から倒立状態にし、画面方向Ｙを撮影方向Ｘと同じ向きにした第１の対面撮影状態と、反対に、モニタ表示器１３０が備えられた本体部１０４を正立させたまま、カメラ部１０３のみを連結部１０５を中心として上下に１８０°回転させ、正立状態から倒立状態にし、撮影方向Ｘを画面方向Ｙと同じ向きにした第２の対面撮影状態との２通りの方法がある。
【０００６】
図１０は、図９に示したモニタ画面一体型ビデオカメラによる、通常撮影状態及び対面撮影状態の説明図である。
図１０（ａ）は、モニタ画面一体型ビデオカメラ１０１による通常撮影状態の場合の説明図である。
【０００７】
同図において、図１０（ａ１）は、通常撮影状態におけるモニタ画面一体型ビデオカメラ１０１の姿勢状態、及びこの姿勢状態における撮影方向Ｘ，画面方向Ｙの関係を示し、図１０（ａ２）は、撮像回路１１２のＣＣＤ（Ｃｈａｒｇｅ  ＣｏｕｐｌｅｄＤｅｖｉｃｅ）から読み出される撮影された映像を示し、図１０（ａ３）は、撮像回路１１２のＣＣＤから読み出される撮影された映像のイメージデータを、モニタ表示器１３０に表示した場合の状態を示したものである。
【０００８】
ここで、ＣＣＤから読み出される撮影された映像の垂直走査方向（読出方向）を矢印Ｖｃｃｄを使用して図１０（ａ２）中に表し、またモニタ表示器１３０の表示駆動における垂直走査方向を矢印Ｖｄｉｓを使用して図１０（ａ３）中に表す一方、モニタ表示器１３０の正立状態を基準としたモニタ画面の上下方向の上方を、符号ＣＲで示すキャラクタを使用して、同じく図１０（ａ３）中に表すものとする。
【０００９】
通常撮影状態の場合、カメラ部１０３及び本体部１０４はいずれも正立状態にあり、ＣＣＤの垂直走査（転送）方向Ｖｃｃｄと、モニタ表示器１３０の表示駆動における垂直走査方向Ｖｄｉｓは一致する（いずれも、図中、上から下方向）ことから、ＣＣＤから読み出される撮影された映像のイメージデータは、モニタ表示器１３０の表示駆動における垂直走査方向Ｖｄｉｓに変更を施さずとも、虚像（カメラレンズで写した被写体の画像）は、正像（実際に正対して被写体を眺めた画像）としてモニタ表示器１３０に表示される。
【００１０】
図１０（ｂ）は、モニタ画面一体型ビデオカメラ１０１による第１の対面撮影状態の場合の説明図である。
図１０（ｂ１）は、第１の対面撮影状態におけるモニタ画面一体型ビデオカメラ１０１の姿勢状態、及びこの姿勢状態における撮影方向Ｘ，画面方向Ｙの関係を示し、図１０（ｂ２）は、前述した図１０（ａ２）で説明した、撮像回路１１２のＣＣＤから読み出される撮影された映像に対応し、図１０（ｂ３）は、前述した図１０（ａ３）で説明した、モニタ表示器１３０に表示した場合の状態に対応する。
【００１１】
この第１の対面撮影状態の場合、ＣＣＤの垂直走査方向Ｖｃｃｄは、カメラ部１０３は正立状態にあるため、通常撮影状態の場合と変わりない。ところが、モニタ表示器１３０の表示起動における垂直走査方向Ｖｄｉｓは、モニタ表示器１３０が備えられた本体部１０４が倒立状態になるため、通常撮影状態の場合と逆向きになる。
【００１２】
この結果、ＣＣＤから読み出された撮影された映像のイメージデータを、モニタ表示器１３０の表示駆動における垂直走査方向Ｖｄｉｓに変更を施さずに、そのままモニタ表示器１３０で表示すれば、虚像（カメラレンズで写した被写体の画像）は、正像（実際に正対して被写体を眺めた画像）の上下を逆転し、さらに左右を反転させた映像となって、図１０（ｂ３）に示したようにモニタ表示器１３０に表示されてしまう。
【００１３】
図１０（ｃ）は、モニタ画面一体型ビデオカメラ１０１による第２の対面撮影状態の場合の説明図である。
図１０（ｃ１）は、第２の対面撮影状態におけるモニタ画面一体型ビデオカメラ１０１の姿勢状態、及びこの姿勢状態における撮影方向Ｘ，画面方向Ｙの関係を示し、図１０（ｃ２）は、前述した図１０（ａ２）で説明した、撮像回路１１２のＣＣＤから読み出される撮影された映像に対応し、図１０（ｃ３）は、前述した図１０（ａ３）で説明した、モニタ表示器１３０に表示した場合の状態に対応する。
【００１４】
この場合、モニタ表示器１３０の表示駆動における垂直走査方向Ｖｄｉｓは、モニタ表示器１３０が備えられた本体部１０４が正立状態にあるため、通常撮影状態の場合と変わりない。ところが、ＣＣＤの垂直走査方向Ｖｃｃｄは、カメラ部１０３が倒立状態になるため、通常撮影状態の場合に対して上下逆になる。
【００１５】
この結果、ＣＣＤから読み出された撮影された映像のイメージデータを、モニタ表示器１３０の表示駆動における垂直走査方向Ｖｄｉｓに変更を施さずに、そのままモニタ表示器１３０で表示すれば、虚像（カメラレンズで写した被写体の画像）は、正像（実際に正対して被写体を眺めた画像）の上下を逆転した映像となって、モニタ表示器１３０に表示される。
【００１６】
したがって、特開平７−１５４６９２号公報に記載されたモニタ画面一体型ビデオカメラにあっては、上述した第１及び第２の対面撮影状態にあっても、撮像回路１１２のＣＣＤから読み出される撮影された映像のイメージデータを、モニタ表示器１３０の表示駆動における走査方向をモニタ画面１３１の上下で反転して、又は左右及び上下で反転して表示することにより、図１１に示すように、モニタ表示器１３０のモニタ画面に、正像（実際に正対して被写体を眺めた画像）を左右反転した鏡像で表示できる構成、すなわち鏡像表示できる構成になっている。
【００１７】
図１１は、図９に示したビデオカメラによる対面撮影の場合において、モニタ表示器のモニタ画面に鏡像表示される撮影された映像を示したものである。
図１１（ａ）において、モニタ表示器１３０の表示駆動における垂直走査方向Ｖｄｉｓ−（ｂ）は、図１０（ｂ）に示した第１の対面撮影状態における、モニタ表示器１３０の表示駆動における垂直走査方向を示し、図１１（ｂ）において、モニタ表示器１３０の垂直走査方向Ｖｄｉｓ−（ｂ）は、図１０（ｃ）に示した第２の対面撮影状態における、モニタ表示器１３０の表示駆動における垂直走査方向を示す。
【００１８】
【特許文献１】
特開平７−１５４６９２号
【００１９】
【発明が解決しようとする課題】
上記従来技術で説明した、カメラレンズ１１１と撮像回路１１２とを収容したカメラ部１０３と、モニタ表示器１３０、ＶＴＲ部、操作スイッチ１４０が備えられた本体部１０４とが、連結部１０５を介して相互に回動可能に連結された構成のモニタ画面一体型ビデオカメラ１０１のような撮像装置にあっては、対面撮影の場合に次のような問題点が発生する。
【００２０】
すなわち、上述したように、従来の撮像装置にあっては、第１及び第２の対面撮影の場合は、モニタ表示器の垂直走査方向を通常撮影の場合の垂直走査方向に対して変更を施し、モニタ表示器のモニタ画面に正像を鏡像表示できる構成になっている。
【００２１】
ところが、上述した第１の対面撮影の場合は、カメラ部は正立状態にあるため問題にはならないものの、第２の対面撮影の場合は、カメラ部が倒立状態になっているため、撮像回路のＣＣＤから読み出される撮影された映像の垂直走査方向Ｖｃｃｄが、通常撮影の場合及び第１の対面撮影の場合に対して、上下が逆になってしまっている。
【００２２】
これにより、第２の対面撮影状態の場合でも、モニタ表示器における表示駆動における垂直走査方向Ｖｄｉｓを変更し、モニタ画面にはその正常な画面表示（すなわち、正像を左右反転した鏡面表示）がなされることから、ユーザがこの表示画像を記録できるものと思い、撮像回路のＣＣＤから上下が逆の垂直走査方向Ｖｃｃｄで読み出される撮影された映像のイメージデータが誤ってＶＴＲ部（記録再生部）にそのまま記録されてしまう虞れがあった。
【００２３】
そして、第２の対面撮影状態における撮像回路１１２のＣＣＤから上下が逆の垂直走査方向Ｖｃｃｄで読み出される撮影された映像のイメージデータが誤ってＶＴＲ部により記録されてしまうと、後に撮像装置を外部のＴＶ（テレビジョン装置）等に接続して記録された映像の再生を行った場合に、外部のＴＶ等の画面に表示される撮影映像が、図１０（Ｃ３）に示したように正像の上下が反転した画像となる、という問題点があった。
【００２４】
本発明の撮像装置は、上述した問題点を解決するためになされたものであって、本体部ケーシングの向きＺを、カメラ部ケーシングのレンズ部のカメラレンズによって規定される撮影方向Ｘ、及びモニタ表示部のモニタ画面の向きＹに対して独立に回動調整することができる撮像装置にあって、対面撮影状態で、被写体の正像の上下が逆になった映像のイメージデータが記録再生部により記録されてしまうことを防止した撮像装置を提供することを目的とする。
【００２５】
【課題を解決するための手段】
上記目的を達成するために、本発明の撮像装置は、記録再生部が設けられた第１の筐体と、レンズ部及びモニタ表示部が設けられた第２の筐体と、該第１の筐体及び第２の筐体を相対回動可能に一体的に連結する連結部と、前記第１の筐体に対する前記第２の筐体の回動変位を検出する第１の回転検出部と、前記第２の筐体に設けられたモニタ表示部の画面方向を検出する第２の回転検出部と、前記第１の回転検出部及び第２の回転検出部の検出出力に基づき、対面撮影状態を判別する判別手段と、該判別手段による対面撮影状態の判別結果に基づき、前記レンズ部により撮影される映像が上下反転して前記記録再生部によって記録されることを報知する報知手段とを備えていることを特徴とする。
【００２６】
また、本発明の撮像装置は、記録再生部が設けられた第１の筐体と、レンズ部及びモニタ表示部が設けられた第２の筐体と、該第１の筐体及び第２の筐体を相対回動可能に一体的に連結する連結部と、前記第１の筐体に対する前記第２の筐体の回動変位を検出する第１の回転検出部と、前記第２の筐体に設けられたモニタ表示部の画面方向を検出する第２の回転検出部と、前記第１の回転検出部及び第２の回転検出部の検出出力に基づき、対面撮影状態を判別する判別手段と、前記レンズ部に設けられ、該判別手段による対面撮影状態の判別結果に応じて、撮影される被写体の映像の垂直読み出し方向を上下反転させる固体撮像素子とを備えていることを特徴とする。
【００２７】
また、本発明の撮像装置は、記録再生部が設けられた第１の筐体と、レンズ部及びモニタ表示部が設けられた第２の筐体と、該第１の筐体及び第２の筐体を相対回動可能に一体的に連結する連結部と、前記第１の筐体に対する前記第２の筐体の回動変位を検出する第１の回転検出部と、前記第２の筐体に設けられたモニタ表示部の画面方向を検出する第２の回転検出部と、前記第１の回転検出部及び第２の回転検出部の検出出力に基づき、対面撮影状態を判別する判別手段と、通常撮影状態から対面撮影状態に移行した場合は、該判別手段による対面撮影状態の判別結果に基づき、前記レンズ部により撮影される映像の前記記録再生部による記録を中断させる記録中断手段とを備えていることを特徴とする。
さらに、本発明の撮像装置は、前記第１の回転検出部は、重力センサであることを特徴とする。
【００２８】
また、本発明の撮像装置は、記録再生部が設けられた第１の筐体と、レンズ部及びモニタ表示部が設けられた第２の筐体と、該第１の筐体及び第２の筐体を相対回動可能に一体的に連結する連結部と、前記第１の筐体に対する前記第２の筐体の回動変位を検出する第１の回転検出部と、前記第２の筐体に設けられたモニタ表示部の画面方向を検出する第２の回転検出部と、前記第１の回転検出部及び第２の回転検出部の検出出力に基づき、前記第１の筐体及び第２の筐体が予め定められた姿勢状態になっているのを検出し、対面撮影モードを設定する対面撮影設定手段と、該対面撮影設定手段による対面撮影モードの設定を受けて、前記レンズ部により撮影される被写体の鏡像を前記記録再生部に記録制御する対面撮影制御手段とを備えていることを特徴とする。
【００２９】
さらに、本発明の撮像装置は、前記モニタ表示部は、前記第２の筐体に対して相対回動可能に設けられていることを特徴とする。
さらに、本発明の撮像装置は、前記第２の回転検出部は、前記第２の筐体に対する前記モニタ表示部の相対回動変位を検出することを特徴とする。
【００３０】
そして、これら構成からなる本発明の撮像装置によれば、対面撮影時に、被写体が上下逆になった映像が誤って記録媒体に記録されてしまうことを防止できる。
また、対面撮影を行う場合の対面撮影それ自体の設定も、専用の設定スイッチを設けたり、特別なスイッチ操作を行わずとも自動的に行える。
【００３１】
【発明の実施の形態】
以下、添付図面を参照しながら、本発明の撮像装置の好適な実施の形態について、図面を参照しながら詳細に説明する。
【００３２】
図１は、本発明の撮像装置の好適な一実施の形態としてのビデオカメラの外観斜視図である。
図２は、図１に示したビデオカメラを、図１とは異なる方向から眺めた外観斜視図である。
【００３３】
図１，図２において、ビデオカメラ１は、ビデオカメラ本体２が、レンズ部１０が設けられたカメラ部ケーシング３と、記録再生部が設けられ、本体把持部を構成する本体部ケーシング４と、前記カメラ部ケーシング３及び本体部ケーシング４を相対回動可能に一体的に連結する回動機構５とを備えている。
【００３４】
また、このカメラ部ケーシング３には、ビューファインダ部２０が設けられているとともに、モニタ表示部３０が揺動／回動機構６を介して設けられている。そして、この揺動／回動機構６によって、モニタ表示部３０をカメラ部ケーシング３に対して揺動変位させることにより、そのモニタ画面３１がカメラ部ケーシング３から出没可能になっており、またモニタ画面３１を出現させた状態で、モニタ表示部３０を回動変位させることにより、モニタ画面３１の向きＸを回動変化させることができる。
【００３５】
また、本体部ケーシング４とカメラ部ケーシング３との並設方向に並行な、本体部ケーシング４の周面を構成する４面の中の、相互に隣接する２面には、撮影のスタート／ストップを指示するためのスタート／ストップスイッチ４１と、焦点距離を調整するためのズームイン／ズームアウトスイッチ４２とが設けられている。
【００３６】
本実施の形態のビデオカメラ１によれば、いわゆるシューティングタイプのビデオカメラとして、被写体をビューファインダ部２０又はモニタ表示部３０で視認しながら、片方の手だけで、ビデオカメラ本体２を支持し、かつスタート／ストップ及びズームイン／ズームアウトといった撮影操作を行うことができる。
【００３７】
さらに、その際も、レンズ部１０、ビューファインダ部２０を備え、モニタ表示部３０が揺動／回転自在に連結されているカメラ部ケーシング３に対し、本体把持部を構成する本体部ケーシング４が並列に配置され、かつ相対回動可能に一体的に連結されているので、本体部ケーシング４の向きＺ（この場合、図１中に破線で示したビデオカメラ本体２を支持する手の把持方向に対応）を、レンズ部１０のカメラレンズ１１によって規定される撮影方向Ｘ、及びモニタ表示部３０のモニタ画面３１の画面方向Ｙに対して独立に回動調整することができる。そのため、どのような撮影姿勢であっても、手首を不自然に曲げたり、反らしたり、捻ったりすることなく、前腕部と掌のなす角度を自然な状態に伸ばしたまま、ビデオカメラ本体２を片手で把持して撮影操作を行うことができる。
【００３８】
したがって、例えば、ビデオカメラ本体２を撮影者の目線高さ位置に構える通常撮影姿勢、ビデオカメラ本体２を撮影者の目線高さ位置よりも高い位置に構える高撮影姿勢、又はビデオカメラ本体２を撮影者の目線高さ位置よりも低い位置に構える低撮影姿勢といった、撮影姿勢の違いに拘わらず、ユーザは無理なくビデオカメラ本体２を把持することができ、この把持した側の片手の指で、スタート／ストップスイッチ４１及びズームイン／ズームアウトスイッチ４２を容易に操作することができる。
【００３９】
なお、前述した本体部ケーシング４に備えられた記録再生部は、例えばビデオテープ，ＤＶＣ（Ｄｉｇｉｔａｌ  Ｖｉｄｅｏ  Ｃａｓｓｅｔｔｅ  ），メモリカード，ビデオディスク，ハードディスクドライブ等といった具体例としての記録媒体の中のいずれか一又は複数に、映像データを記録したり、記録された映像データを再生したりする手段を指す。
次に、本実施の形態のビデオカメラ１のシステム構成について、図３に基づき説明する。
【００４０】
図３は、本実施の形態のビデオカメラのシステム構成を示したブロック図である。
本実施の形態のビデオカメラ１は、レンズ部１０と、レンズ部１０に接続された信号処理部５１と、信号処理部５１及び後述のＯＳＤ発生部（Ｏｎ  Ｓｃｒｅｅｎ  Ｄｉｓｐｌａｙ  発生部）５６に接続された合成部５２と、第１の回転検出部５３と、第２の回転検出部５４と、これら第１，第２の回転検出部５３，５４が接続された制御部としてのＣＰＵ（マイクロコンピュータ）５５と、ＣＰＵ５５に接続されるとともに前述した合成部５２に接続されたＯＳＤ発生部５６と、この合成部５２に接続されるとともにＣＰＵ５５にも接続されたモニタ表示部３０と、記録制御部を含む記録媒体（記録再生部）５７とを備えて構成されている。
【００４１】
ここで、上述した各部の概略構成について説明する。
レンズ部１０は、カメラレンズ１１とＣＣＤを備えた撮像回路とを備え、被写体の撮影映像を電気信号に変換する。
【００４２】
信号処理部５１は、レンズ部１０の撮像回路から出力される電気信号を、記録媒体５７に記録するためやモニタ表示部３０に表示するための、所定の規格からなる映像信号に変換処理する。
【００４３】
ＯＳＤ生成部５６は、ビデオカメラ１のモニタ表示部３０のモニタ画面３１に表示される映像に、日付、操作表示、ビデオカメラの動作状態に関する文字又は図案等からなる情報のキャラクタ信号を生成する。
【００４４】
合成部５２は、信号処理部５１からモニタ表示部３０に出力されるレンズ部１０により撮影された映像信号と、このＯＳＤ発生部５６によって生成されたキャラクタ信号とを合成する。
【００４５】
第１の回転検出部５３は、本実施の形態のビデオカメラ１にあっては、カメラ部ケーシング３と本体部ケーシング４とを回動可能に連結する回動機構５に付設され、カメラ部ケーシング３と本体部ケーシング４との相対的な回動変位に基づく回動量を検出する。例えば、第１の回転検出部５３は、両ケーシング３，４がいずれも正立した図１に示す状態における、レンズ部１０のカメラレンズ１１によって規定される撮影方向Ｘと本体部ケーシング４の向きＺとの回動位置状態を基準状態とし、カメラ部ケーシング３と本体部ケーシング４との中のいずれか一方から眺めた他方の基準状態に対する相対的な回動量を、回動方向と関係づけて検出する。
【００４６】
第２の回転検出部５３は、本実施の形態のビデオカメラ１にあっては、カメラ部ケーシング３とモニタ表示部３０とを揺動自在かつ回動可能に連結する揺動／回動機構６に付設され、カメラ部ケーシング３とモニタ表示部３０との相対的な回動変位に基づく回動量を検出する。例えば、第１の回転検出部５３は、図１に示したように、カメラ部ケーシング３からモニタ表示部３０のモニタ画面３１を出現させた状態で、レンズ部１０のカメラレンズ１１によって規定される撮影方向Ｘとモニタ表示部３０のモニタ画面３１の画面方向Ｙとが反対方向を向いている状態を基準状態とし、カメラ部ケーシング３とモニタ表示部３０との中のいずれか一方から眺めた他方の基準状態に対する相対的な回動量を、回動方向と関係づけて検出する。
【００４７】
制御部としてのＣＰＵ５５は、ビデオカメラ１の各部の制御を行うとともに、第１の回転検出部５３及び第２の回転検出部５４からの検出信号に基づき、ビデオカメラ１が対面撮影状態にあるか否かを判別し、その判別結果に基づき、ＯＳＤ発生部５６，記録媒体５７，及びモニタ表示部３０それぞれに、対面撮影状態に応じた制御信号Ｓ１，Ｓ２，Ｓ３を出力する。
【００４８】
記録制御部を含む記録媒体（記録再生部）５７は、信号処理部５１を介して供給される映像信号の記録制御、及び記録された映像信号の再生制御を行う。
次に、このように構成された本実施の形態のビデオカメラ１による撮影について説明する。
【００４９】
上述したビデオカメラ１にあっては、本体把持部を構成する本体部ケーシング４の向きＺ（ここでは、本体部ケーシング４に把持する手の掌を添える方向（把持方向）と同じ方向を指す）は、撮影姿勢に応じて、カメラ部ケーシング３の向きすなわち撮影方向Ｘに対して、前腕部と掌のなす角度を自然な状態に伸ばした状態からなる、ユーザが把持し易い任意の向きに相対回転されて調整される。また、モニタ表示部３０のモニタ画面３１の向きＹは、本体把持部を構成する本体部ケーシング４の向きＺに対してではなく、本体部ケーシング４の向きＺの場合と同様に、カメラ部ケーシング３の向きすなわち撮影方向Ｘに対して、任意の視認し易い向きに相対回動されて調整される。
そのため、図１，図２に示したビデオカメラ１を用いて撮影を行う場合は、次述べるようになる。
【００５０】
図４は、図１，図２に示したビデオカメラによる、通常撮影状態及び対面撮影状態の説明図である。
図４（ａ）は、このビデオカメラ１による通常撮影状態の場合の説明図である。
【００５１】
同図において、図４（ａ１）は、通常撮影状態の通常撮影姿勢におけるビデオカメラ１各部の姿勢状態、及びこの姿勢状態における撮影方向Ｘ，画面方向Ｙ，把持方向Ｚの関係を示し、図４（ａ２）は、レンズ部１０に設けられた撮像回路のＣＣＤから読み出される撮影された映像を示し、図３（ａ３）は、撮像回路のＣＣＤから読み出される撮影された映像のイメージデータを、モニタ表示部３０に表示した場合の状態を示したものである。
【００５２】
ここで、撮像回路のＣＣＤから読み出される撮影された映像の垂直走査方向（読出方向）を矢印Ｖｃｃｄを使用して図４（ａ２）中に表し、またモニタ表示部３０の表示駆動におけるモニタ表示部３０の表示駆動における垂直走査方向を矢印Ｖｄｉｓを使用して図４（ａ３）中に表す一方、モニタ表示部３０の正立状態を基準としたモニタ画面の上下方向の上方を、符号ＣＲで示すキャラクタを使用して、同じく図４（ａ３）中に表すものとする。
【００５３】
通常撮影状態の場合、カメラ部ケーシング３は正立状態にあり、ＣＣＤの垂直走査方向Ｖｃｃｄと、カメラ部ケーシング３に備えられたモニタ表示部３０の表示駆動における垂直走査方向Ｖｄｉｓは一致する（いずれも、図中、上から下方向）ことから、ＣＣＤから読み出される撮影された映像のイメージデータは、モニタ表示部３０の表示駆動における垂直走査方向Ｖｄｉｓの変更を施さずとも、虚像（カメラレンズで写した被写体の画像）は、正像（実際に正対して被写体を眺めた画像）としてモニタ表示部３０に表示される。
【００５４】
なお、この通常撮影状態の場合は、ユーザは、図１に示したように、本体把持部を構成する本体部ケーシング４を片手で把持し、把持した片手の指でスタート／ストップスイッチ４１及びズームイン／ズームアウトスイッチ４２を操作する。
【００５５】
図４（ｂ），図４（ｃ）は、対面撮影状態におけるビデオカメラ１の姿勢状態、及びこの姿勢状態における撮影方向Ｘ，画面方向Ｙの関係を示し、図４（ｂ２），図４（ｃ２）は、前述した図４（ａ２）で説明した、撮像回路のＣＣＤから読み出される撮影された映像に対応し、図４（ｂ３），図４（ｃ３）は、前述した図４（ａ３）で説明した、モニタ表示部３０に表示した場合の状態に対応する。
【００５６】
図４（ｂ），図４（ｃ）の場合、モニタ表示部３０の表示駆動における垂直走査方向Ｖｄｉｓは、モニタ表示部３０が備えられたカメラ部ケーシング３が、回動機構５を介して本体部ケーシング４に対して回動され、倒立状態になるのに伴い、モニタ画面３１の向きＹが撮影方向Ｘと反対方向を向いた倒立状態に一旦なるが、モニタ画面３１の向きＹを撮影方向Ｘに合わせるように、揺動／回動機構６を介してカメラ部ケーシング３に対して回動させることによって、通常撮影状態の場合と同様の正立状態に戻るため、図４（ｂ３），図４（ｃ３）に示すように、通常撮影状態の場合と変わりない。ところが、撮像回路のＣＣＤの垂直走査方向Ｖｃｃｄは、カメラ部ケーシング３が倒立状態になるため、図４（ｂ２），図４（ｃ２）に示すように、通常撮影状態の場合に対して上下逆になる。
【００５７】
この結果、ＣＣＤから読み出された撮影された映像のイメージデータを、モニタ表示部３０の表示駆動における垂直走査方向Ｖｄｉｓに変更を施さずに、そのままモニタ表示部３０で表示すれば、虚像（カメラレンズで写した被写体の画像）は、正像（実際に正対して被写体を眺めた画像）の上下を逆転した映像となって、モニタ表示部３０に表示される。
なお、図４（ｂ）と、図４（ｃ）とは、本体部ケーシング４の向きＺすなわち把持方向Ｚが異なるだけである。
【００５８】
すなわち、図４（ｂ１）に示したビデオカメラ１の姿勢状態は、図１に示したビデオカメラ１の通常撮影状態から、本体部ケーシング４の把持状態（把持方向Ｚ）を変えることなく、回動機構５を介してカメラ部ケーシング３を本体部ケーシング４に対して約１８０度回動させ、さらにその姿勢状態から、揺動／回動機構６を介してモニタ表示部３０をカメラ部ケーシング３対して約１８０度回動させた姿勢状態を示したものである。
【００５９】
一方、図４（ｃ１）に示したビデオカメラ１の姿勢状態は、図１に示したビデオカメラ１の通常撮影状態から、本体部ケーシング４の把持している腕の肘を伸ばしながら、ビデオカメラ本体２を約９０度回動させ、把持方向が略水平方向に、撮影方向Ｘが上下方向の下方に向くようにした上で、回動機構５を介してカメラ部ケーシング３を本体部ケーシング４に対して約９０度回動させて倒立状態とし、この状態で撮影方向Ｘに対して反対方向を向いて倒立状態にあるモニタ表示部３０を、揺動／回動機構６を介してカメラ部ケーシング３に対して約１８０度回動させて正立状態とした状態を示している。
【００６０】
図５は、図４（ｃ１）に示したビデオカメラの姿勢状態における把持状態を示した図である。
図５に示すように、特に図４（ｃ１）に示したビデオカメラ１の姿勢状態の場合は、撮影方向Ｘの高さ位置としてのユーザ自身の顔高さ位置の関係から、肘を略１８０度にして腕を伸ばした状態で、図５に示した前腕部と掌とが自然な状態のまま、図４（ｂ１）に示したビデオカメラ１の姿勢状態に比し、ビデオカメラ１をユーザから離して片手で把持しかつ操作することができ、肩、肘、手首等に負担をかけない楽な姿勢で対面撮影が行うことができる。
【００６１】
上述したようにして対面撮影を行うことができる本実施の形態のビデオカメラ１にあっては、図３において、ＣＰＵ５５は、例えば、上述した図４（ｂ），図４（Ｃ）で説明した対面撮影状態を、第１の回転検出部５３及び第２の回転検出部５４のそれぞれ検出出力に基づき、次のようにして判別する。
【００６２】
例えば、図４（ｂ）に示した対面撮影状態は、ＣＰＵ５５が、第１の回転検出部５３から、カメラ部ケーシング３が本体部ケーシング４に対して、相互の正立状態を基準として、略１８０度回動変位している検出信号を受信し、第２の回転検出部５４から、モニタ表示部３０がカメラ部ケーシング３に対して、相互の正立状態を基準として、略１８０度回動変位している検出信号を受信している場合に判別される。
【００６３】
また、例えば、図４（ｃ）に示した対面撮影状態は、ＣＰＵ５５が、第１の回転検出部５３から、カメラ部ケーシング３が本体部ケーシング４に対して、相互の正立状態を基準として、本体部ケーシング４側からカメラ部ケーシング３を眺めて時計回りに略９０度回動変位している検出信号を受信し、第２の回転検出部５４から、モニタ表示部３０がカメラ部ケーシング３に対して、相互の正立状態を基準として、略１８０度回動変位している検出信号を受信している場合に判別される。
【００６４】
そして、ＣＰＵ５５は、図４（ｂ）及び図４（ｃ）に示したビデオカメラ１の対面撮影状態を判別すると、制御信号Ｓ１，Ｓ２，Ｓ３をＯＳＤ発生部５６，記録媒体５７，モニタ表示部３０に出力する。
【００６５】
まず、モニタ表示部３０は、ＣＰＵ５５からの制御信号Ｓ３が入力されると、図４（ｂ３）及び図４（ｃ３）に示したモニタ表示部３０の表示駆動における垂直走査方向Ｖｄｉｓを、上下方向に関して反転させ、合成部５２から供給されるる、レンズ部１０により撮影された映像信号とＯＳＤ発生部５６によって生成されたキャラクタ信号とを合成した合成映像信号をモニタ表示部３０のモニタ画面３１に表示する。
【００６６】
この場合、合成映像信号におけるレンズ部１０により撮影された映像信号は、図４（ｂ２）及び図４（ｃ２）に示したように、図４（ｂ）及び図４（ｃ）に示した対面撮影状態の場合は、撮像回路のＣＣＤの垂直走査方向Ｖｃｃｄが、カメラ部ケーシング３が倒立状態になるため、図４（ａ２）に示す通常撮影状態の場合に対して上下逆になっている。そのため、モニタ表示部３０は、図４（ｂ３）及び図４（ｃ３）に示した表示駆動における垂直走査方向Ｖｄｉｓを上下方向に関して反転させることによって、モニタ表示部３０が正立状態になっているにもかかわらず、図６に示すように、モニタ表示部３０のモニタ画面３１に被写体の正像を鏡像表示することができる。
【００６７】
図６は、本実施の形態のビデオカメラによる対面撮影時におけるモニタ表示部のモニタ画面表示である。
また、ＯＳＤ発生部５６は、日付、操作表示、ビデオカメラの動作状態に関する文字又は図案等からなる情報のキャラクタ（通常のキャラクタ）、例えば、図６において示したシャッター速度「１／１００」を表すキャラクタＣＲに加えて、ビデオカメラ１が対面撮影状態にあることを示すとともに、通常撮影状態の場合に対し、モニタ表示部３０のモニタ画面３１の表示駆動における垂直走査方向Ｖｄｉｓが前述したように上下逆の変更がなされていることを示すための、「人」形の垂直走査方向表示用キャラクタＣＲＶを生成している。
【００６８】
そして、ＯＳＤ発生部５６は、ＣＰＵ５５から制御信号Ｓ３が入力されると、通常のキャラクタＣＲについては、モニタ画面３１の表示駆動における垂直走査方向Ｖｄｉｓが上下逆に変更になったことにより、その通常のキャラクタＣＲがモニタ画面３１の表示駆動における垂直走査方向Ｖｄｉｓが上下変更になる前と同じ表示状態で、モニタ画面３１上において上下同じ画面位置に表示されるように編集して、合成部５２に出力する。
【００６９】
これに対し、ＯＳＤ発生部５６は、ＣＰＵ５５からの制御信号Ｓ３が入力されると、垂直走査方向表示用キャラクタＣＲＶについては、通常のキャラクタＣＲと区別し、モニタ画面３１の表示駆動における垂直走査方向Ｖｄｉｓが上下変更になる前に対し、その表示が１８０度だけ反転した表示状態になり、モニタ画面３１上において上下対称な画面位置に表示されるように編集して、合成部５２に出力する。
【００７０】
すなわち、対面撮影状態の場合にモニタ表示部３０のモニタ画面３１上における、例えばシャッター速度「１／１００」を表す通常のキャラクタＣＲと、この垂直走査方向表示用キャラクタＣＲＶとの相互表示関係は、図６に示したようになる。図６の場合、「人」形の垂直走査方向キャラクタＣＲＶの頭部の部分が、垂直走査方向Ｖｄｉｓの起点の方向を表している。また、このときのＣＣＤの垂直走査方向Ｖｃｃｄと、変更されたモニタ画面３１の表示駆動における垂直走査方向Ｖｄｉｓとの相対関係を、同図中の矢印で表す。
【００７１】
なお、通常撮影状態に戻った場合の、垂直走査方向キャラクタＣＲＶと、ＣＣＤの垂直走査方向Ｖｃｃｄ及びモニタ画面３１の表示駆動における垂直走査方向Ｖｄｉｓとの相対関係は、図４（ａ３）に示したようになる。
したがって、上述した垂直走査方向キャラクタＣＲＶのモニタ画面３１上の表示状態から、ユーザは記録される画像が上下反転することが容易に理解できる。
【００７２】
また、記録媒体５７は、ＣＰＵ５５からの制御信号Ｓ２が入力されると、信号処理部５１を介して供給される映像信号の記録を中断させるための制御（記録の一時停止をも含む）を行う。
【００７３】
これにより、通常撮影状態において記録媒体５７に記録中であるときに、対面撮影状態に移行した場合の、ＣＣＤの垂直走査方向Ｖｃｃｄが通常撮影状態の場合と逆になったままの記録が防げる。
【００７４】
なお、本実施の形態のビデオカメラ１における、通常撮影状態から対面撮影状態への移行後の記録媒体５７への記録の再開、又は対面撮影それ自体の開始は、例えば、前述したＣＰＵ５５が、第１の回転検出部５３及び第２の回転検出部５４からの検出信号に基づき、ビデオカメラ１の対面撮影状態を判別した上述の状態において、その後のユーザによるスタート／ストップスイッチ４１のスタート操作が検出された場合に行われる。その際、例えば、ＣＰＵ５５は、記録媒体５７に対し、信号処理部５１から記録媒体５７に供給される映像信号に関し、その垂直走査方向Ｖｄｉｓを逆転させて記録制御させる旨の指示の制御信号を出力する構成になっている。
【００７５】
したがって、本実施の形態のビデオカメラ１にあっては、予めＣＰＵ５５が、第１の回転検出部５３及び第２の回転検出部５４からの検出信号に基づき、ビデオカメラ１の対面撮影状態を判別している状態で、ユーザがスタート／ストップスイッチ４１のスタート操作を行えば、信号処理部５１から記録媒体５７に供給される映像信号に関し、当初から記録媒体５７によってその垂直走査方向Ｖｄｉｓを逆転させて記録する対面撮影が行える。そのため、対面撮影それ自体の設定（対面撮影モードの設定）は、ユーザが、録画停止の状態で、ビデオカメラ本体２を図４（ｂ１）又は図４（ｃ１）に示した姿勢状態に保つことにより、専用の設定スイッチを設けたり、特別なスイッチ操作を行わずとも自動的に行え、その後のスタート／ストップスイッチ４１の操作によって対面撮影が容易に開始できる。
【００７６】
また、本実施の形態のビデオカメラ１にあっては、通常撮影状態から対面撮影状態への移行の際には、ＣＰＵ５５から制御信号Ｓ２を記録媒体５７に出力して、信号処理部５１から供給される映像信号の記録を中断する構成としたが、当該記録の構成は必ずしも備える必要はなく、そのまま信号処理部５１から供給される映像信号の記録を連続して行う構成であってもよい。なお、この場合は、記録媒体５７には、通常撮影状態から対面撮影状態へ移行したときに、それ以前の通常撮影状態による映像が上下反転して記録されることになる。
次に、本発明に係る別の実施の形態の撮像装置について、図面を参照しながら詳細に説明する。
【００７７】
図７は、本発明に係る別の実施の形態の撮像装置としてのビデオカメラのシステム構成を示したブロック図である。
本実施の形態のビデオカメラ１’における図７に示したシステム構成以外の構成については、説明簡便のため、図１及び図２に示した前述の実施形態のビデオカメラ１と同一又は同様であるものとして、その説明は省略する。
【００７８】
また、図７に示した本実施の形態のビデオカメラ１’のシステム構成において、図３に示した前述の実施形態のビデオカメラ１と同一又は同様の構成については、同一符号を付してその説明は省略する。
【００７９】
レンズ部１０には、被写体を撮像するカメラレンズ１１と、カメラレンズ１１からの光信号を電気信号に変換するＣＣＤ１２とが備えられている。そして、本実施の形態のビデオカメラ１’では、ＣＣＤ１２は、ＣＰＵ５５からの制御信号Ｓ４によって、通常撮影モード時と後述する対面撮影モードとで、その垂直走査（転送）方向Ｖｃｃｄを変更できる構成になっている。
【００８０】
また、ＣＰＵ５５は、第１の回転検出部５３及び第２の回転検出部５４からの検出信号に基づき、ビデオカメラ１’が対面撮影状態にあるか否かを判別し、その判別結果に基づき、前述の実施の形態のビデオカメラ１と異なり、モニタ表示部３０に対面撮影状態に応じた制御信号Ｓ３を出力するのに代えて、ＣＣＤ１２に制御信号Ｓ４を出力する構成になっている。
このように構成されたビデオカメラ１’について、図４（ｂ１）及び図４（ｂ２）に示した対面撮影の場合について、その作用を説明する。
【００８１】
図４（ｂ１）及び図４（ｂ２）に示した対面撮影状態については、ＣＰＵ５５は、第１の回転検出部５３及び第２の回転検出部５４からの検出信号に基づき判別し、制御信号Ｓ１，Ｓ２，Ｓ４をＯＳＤ発生部５６，記録媒体５７，レンズ部１０のＣＣＤ１２に供給する。
【００８２】
この場合、ＣＰＵ５５は、制御信号Ｓ４として、ＣＣＤ１２の垂直走査（転送）方向Ｖｃｃｄを通常撮影状態の場合に対し逆にするコマンドを、ＣＣＤ１２に出力する。
【００８３】
これにより、レンズ部１０から信号処理部５１に供給される、ＣＣＤ１２から読み出される撮影された映像のイメージデータは、被写体の正像の鏡像についてのイメージデータが供給されることになり、図８（ｂ）に示す被写体の正像の鏡像についての映像信号がそのまま記録媒体５７に出力されることになるので、通常撮影状態において記録媒体５７に記録中であるときに、対面撮影状態に移行した場合の、ＣＣＤの垂直走査方向Ｖｃｃｄが通常撮影状態の場合と逆になったままの映像信号の記録が防げる。
【００８４】
そのため、合成部５２にも、信号処理部５１から図８（ｂ）に示す被写体の正像の鏡像についての映像信号が供給されることになるため、モニタ表示部３０は、前述の実施の形態のビデオカメラ１のように、ＣＰＵ５５からの制御信号Ｓ３によって表示駆動における垂直走査方向Ｖｄｉｓを上下反転させる必要もない。
【００８５】
図８は、本実施の形態のビデオカメラによる対面撮影時におけるモニタ表示部のモニタ画面表示、及びＣＣＤから読み出される撮影された映像である。
図８において、図８（ａ）は本実施の形態のビデオカメラによる対面撮影時におけるモニタ表示部のモニタ画面表示を示し、図８（ｂ）はＣＣＤ１２から読み出される撮影された映像を示す。
【００８６】
そして、図８（ａ）において、「人」形の垂直走査方向キャラクタＣＲＶの頭部の部分の方向が、図４（ａ３）に示した通常撮影状態の垂直走査方向キャラクタＣＲＶの頭部の部分の方向と反転していることによって、ＣＣＤの垂直走査方向Ｖｃｃｄが通常撮影状態の場合と逆になっていることを表している。また、このときのＣＣＤの垂直走査方向Ｖｃｃｄと、変更されたモニタ画面３１の表示駆動における垂直走査方向Ｖｄｉｓとの相対関係を、同図中の矢印で表す。
【００８７】
また、記録媒体５７は、ＣＰＵ５５からの制御信号Ｓ２が入力されると、信号処理部５１を介して供給される映像信号の記録を一時停止させ、通常撮影状態において記録媒体５７に記録中であるときに、対面撮影状態に瞬間的に移行し、再び通常撮影状態に戻った場合の、瞬間的な対面撮影状態の映像信号の記録媒体５７への誤った記録を防ぐ。
【００８８】
したがって、本実施の形態のビデオカメラ１’にあっては、予めＣＰＵ５５が、第１の回転検出部５３及び第２の回転検出部５４からの検出信号に基づき、ビデオカメラ１の対面撮影状態を判別している状態で、ユーザがスタート／ストップスイッチ４１のスタート操作を行えば、ＣＣＤから信号処理部５１に読み出される撮影された映像は、当初から、ＣＣＤの垂直走査方向Ｖｃｃｄが通常撮影状態の場合と逆になって信号処理部５１に供給される。そのため、対面撮影それ自体の設定（対面撮影モードの設定）は、ユーザが、録画停止の状態で、ビデオカメラ本体２を図４（ｂ１）又は図４（ｃ１）に示した姿勢状態に保つことにより、専用の設定スイッチを設けたり、特別なスイッチ操作を行わずとも自動的に行え、その後のスタート／ストップスイッチ４１の操作によって対面撮影が容易に開始できる。
【００８９】
本発明の撮像装置の実施の形態は以上説明したとおりであるが、これに限定されるものではない。
例えば、前述した回動機構５の回転を検出する第１の回転検出部５３には、前述したように、例えばメカニカルスイッチ等を用いて相対回動量を検出する方法もあるが、重力センサを用いてカメラ部ケーシング３の重力方向に対する絶対的な向きを検出し、ビデオカメラ１，１’の対面撮影状態を検出することも可能である。
【００９０】
また、第１の回転検出部５３が重力センサである場合は、第１の回転検出部５３はカメラ部ケーシング３に配置されるが、メカニカルスイッチである場合は、第１の回転検出手段は、記録再生部を有する本体部ケーシング、又はカメラ部ケーシングの何れに配置してもよい。
【００９１】
また、第１の回転検出部を重力センサとし、カメラ部ケーシング３に配置することにより、カメラ部ケーシング３を固定し、本体把持部を構成する本体部ケーシング４を相対回転した場合は、重力センサは作動しない。
【００９２】
したがって、第１の回転検出部にメカニカルスイッチを用いた場合は、ビデオカメラ１，１’自体が、前述した撮影姿勢に応じて、カメラ部ケーシング３に対して、本体部ケーシング４及びモニタ表示部３０が相互に独立して回動調整されるため、撮影方向Ｘに対し、画面方向Ｙだけではなく、把持方向Ｚも変化するので、本体部ケーシング４の把持方向によっては、通常撮影状態の場合であっても誤って対面撮影状態と判別してしまう可能性がある。しかし、撮像装置の実際の状態は、撮像部の光学レンズ部が撮影者方向に向いていなければ対面撮影状態ではないので、第１の回転検出部に重力センサを採用することで、撮像装置の対面撮影状態の認識が、より一層正確かつ容易に可能となる。
【００９３】
【発明の効果】
以上のように、本発明によれば、上述したように、モニタ表示部の表示駆動における垂直走査方向、又はレンズ部により撮影される映像の垂直走査方向が認識できるキャラクタをモニタ画面上に表示するようにしたので、対面撮影時に、被写体が上下逆になった映像が誤って記録媒体に記録されてしまうことを防止することができる。
【００９４】
さらには、通常撮影状態での記録中から対面撮影状態に入った場合は、記録の停止するので、被写体が上下逆になった映像が記録媒体に記録されることがなくなる。
また、対面撮影を行う場合の対面撮影それ自体の設定も、専用の設定スイッチを設けたり、特別なスイッチ操作を行わずとも自動的に行える。
【図面の簡単な説明】
【図１】本発明の撮像装置の好適な一実施の形態としてのビデオカメラの外観斜視図である。
【図２】図１に示したビデオカメラを、図１とは異なる方向から眺めた外観斜視図である。
【図３】本実施の形態のビデオカメラのシステム構成を示したブロック図である。
【図４】図１，図２に示したビデオカメラによる、通常撮影状態及び対面撮影状態の説明図である。
【図５】図４（ｃ１）に示したビデオカメラの姿勢状態における把持状態を示した図である。
【図６】本実施の形態のビデオカメラによる対面撮影時におけるモニタ表示部のモニタ画面表示である。
【図７】本発明に係る別の実施の形態の撮像装置としてのビデオカメラのシステム構成を示したブロック図である。
【図８】本実施の形態のビデオカメラによる対面撮影時におけるモニタ表示部のモニタ画面表示、及びＣＣＤから読み出される撮影された映像である。
【図９】従来の対面撮影可能な撮像装置の例としての、モニタ画面一体型ビデオカメラの構成図である。
【図１０】図９に示したモニタ画面一体型ビデオカメラによる、通常撮影状態及び対面撮影状態の説明図である。
【図１１】図９に示したビデオカメラによる対面撮影の場合において、モニタ表示器のモニタ画面に鏡像表示される撮影された映像を示したものである。
【符号の説明】
１  ビデオカメラ
２  ビデオカメラ本体
３  カメラ部ケーシング
４  本体部ケーシング
５  回動機構
６  揺動／回動機構
１０  レンズ部
１１  カメラレンズ
１２  ＣＣＤ
２０  ビューファインダ部
３０  モニタ表示部
３１  モニタ画面
４１  スタート／ストップスイッチ
４２  ズームイン／ズームアウトスイッチ
５１  信号処理部
５２  合成部
５３  第１の回転検出部
５４  第２の回転検出部
５５  ＣＰＵ
５６  ＯＳＤ発生部
５７  記録媒体（記録再生部）
１０１  モニタ画面一体型ビデオカメラ
１０３  カメラ部
１０４  本体部
１０５  連結部
１１１  カメラレンズ
１１２  撮像回路
１３０  モニタ表示器
１４０  操作スイッチ
Ｘ  カメラレンズの向く方向方向
Ｙ  モニタ画面の向く方向
Ｚ  ビデオカメラ本体の把持方向
ＣＲＶ  垂直走査方向キャラクタ
【図１】
2004214925.tif 000003
【図２】
2004214925.tif 000004
【図３】
2004214925.tif 000005
【図４】
2004214925.tif 000006
【図５】
2004214925.tif 000007
【図６】
2004214925.tif 000008
【図７】
2004214925.tif 000009
【図８】
2004214925.tif 000010
【図９】
2004214925.tif 000011
【図１０】
2004214925.tif 000012
【図１１】
2004214925.tif 000013